(57)【要約】【課題】現在の自動走行している車両の位置、到達時間、経路、燃費、車種などの車両の形式などの情報を、乗車希望者が把握でき、使用できる自動走行している車両を選択して、乗り込むことができる車両の走行管理システムを提供する。【解決手段】自動走行している車両に備えられ、車両の走行情報を送信する走行情報通信装置と、車両の走行情報通信装置からの車両の走行情報を受信して、前記車両の走行状態を管理する管理サーバと、自動走行している車両の乗車希望者が所持するとともに、管理サーバとの間の無線通信により、管理サーバに記憶された自動走行している車両の走行情報にアクセスできるように構成した携帯情報端末とを備える。【選択図】図１
2018112930.tif 000002
【特許請求の範囲】
【請求項１】
無人自動運転システムにより、一定経路を自動走行している車両の走行管理システムであって、
前記自動走行している車両に備えられ、車両の走行情報を送信する走行情報通信装置と、
前記車両の走行情報通信装置からの車両の走行情報を受信して、前記車両の走行状態を管理する管理サーバと、
前記自動走行している車両の乗車希望者が所持するとともに、前記管理サーバとの間の無線通信により、前記管理サーバに記憶された自動走行している車両の走行情報にアクセスできるように構成した携帯情報端末とを備えることを特徴とする車両の走行管理システム。
【請求項２】
前記車両が、乗車希望者が所持する携帯情報端末と連動して、乗車希望者の所在位置で停止するように構成されていることを特徴とする請求項１に記載の車両の走行管理システム。
【請求項３】
前記車両の走行情報が、走行ルート情報であることを特徴とする請求項１に記載の車両の走行管理システム。
【請求項４】
前記走行ルート情報が、現在地点、目的地地名、目的地への到着時間、走行経路、所定の場所を通過する予測時間のうち、少なくとも１つの走行ルート情報であることを特徴とする請求項３に記載の車両の走行管理システム。
【請求項５】
前記車両の走行情報が、車両の走行データであることを特徴とする請求項１から３のいずれか１項に記載の車両の走行管理システム。
【請求項６】
前記車両の走行データが、車両のエネルギー残量、平均燃費、車両の形式データのうち、少なくとも１つの走行データであることを特徴とする請求項４に記載の車両の走行管理システム。
【請求項７】
前記車両の走行情報通信装置が、管理サーバからの指示情報を受信できるように構成されていることを特徴とする請求項１から６のいずれか１項に記載の車両の走行管理システム。
【請求項８】
前記車両の走行情報通信装置が、乗車希望者が所持する携帯情報端末からの指示情報を受信できるように構成されていることを特徴とする請求項１から７のいずれか１項に記載の車両の走行管理システム。
【発明の詳細な説明】
【技術分野】
【０００１】
本開示は、例えば、タクシー、乗り合いバス、レンタカーなど無人自動運転システムにより、自動走行している車両の走行管理システムに関する。
【０００２】
より詳細には、無人自動運転システムにより、一定経路を自動走行している車両に、乗車希望者が乗り込むことができる車両の走行管理システムに関する。
【背景技術】
【０００３】
近年、完全自動運転の自動車が注目されており、海外の一部では、公道での実験が開始されている。日本国内でも、無人自動運転システムについて、多くの研究、実験が進んでいる。
【０００４】
将来的には現在の有人運転のタクシーのように、道路を走行している無人タクシーを捕まえて、乗車するサービスが展開されることも考えられる。
【０００５】
例えば、特許文献１（特開平１１−１８４５２１号公報）では、自動車を無人で運転し、呼び出しに応じて配車する自動配車システムが提案されている。
【０００６】
すなわち、特許文献１の自動配車システムは、自動車の現在位置から呼び出しを受けたところまで、予め決められたエリア内の地図から自動車の走行経路を決定している。
【０００７】
走行経路を決定するために、エリア内の地図上に設置された標識情報を変更して経路計画を行い、その標識を認識することで、運転経路を決め、自動車に自律性を与えて自律走行制御することで、自動車を無人運転し、配車を行うように構成されている。例えば、交差点ごとに走行車両に対向する位置に標識を設置して標識内容を中央制御装置からの変更指令に基づいて変更して自律走行制御することが示されている。
【０００８】
また、特許文献２（特開２０１６−１１５３６４号公報）には、自動運転車の無人運転による配車サービスを実現することができる配車管理システムが提案されている。
【０００９】
すなわち、特許文献２の配車管理システムは、配車管理サーバと自動運転車から構成されており、利用者による配車管理サーバに対する配車要求に基づいて、配車管理サーバが、自動運転車を利用者に対して、配車するように構成された配車管理システムである。
【００１０】
そして、取得した利用者の顔画像、音声、指紋などの第１の認証用情報と、予め第１の記憶手段に記憶した利用者の第１の認証参照用情報とを用いて、利用者の認証の可否を判断する第１の認証手段を備えている。
【００１１】
また、取得した第２の認証用情報を配車管理サーバに送信し、これに応じて配車管理サーバから受信した確認認証結果に応じて、利用者の認証の可否を判断する第２の認証手段を備えている。
【００１２】
そして、第１の認証手段で認証ができ、かつ、第２の認証手段で認証ができたときに、自動運転車の利用を可能にするようになっている。
【先行技術文献】
【特許文献】
【００１３】
【特許文献１】特開平１１−１８４５２１号公報
【特許文献２】特開２０１６−１１５３６４号公報
【発明の概要】
【発明が解決しようとする課題】
【００１４】
このような従来の特許文献１の配車管理システムでは、エリア内の地図上に配置された標識情報を変更して運転経路を決めて配車するため、標識の配置位置や道路形状によっては誤認識して走行するおそれがあり、配車経路が適切に指示されずお客の位置までスムーズに配車されないおそれがある。
【００１５】
一方、特許文献２の配車管理システムは、利用者による配車管理サーバに対する配車要求に基づいて、配車管理サーバが、自動運転車を利用者に対して、配車するものであって、配車管理側からの一方向の配車である。
【００１６】
また、特許文献２の配車管理システムは、利用者の認識情報が一致した際にのみ、自動運転車を利用者ができるようにしたセキュリティーシステムを目的とするものである。
このため、管理者側が、配車管理サーバで管理しているものであって、利用者が、例えば、現在の自動運転車の位置、到達時間、経路、燃費、車種などの車両の形式などの情報を把握できず、使用できる自動運転車を選択することができず、不便である。
【００１７】
このような現状に鑑み、本発明の少なくとも一つの実施形態は、無人自動運転システムにより、一定経路を自動走行している車両に、乗車希望者が乗り込むことができる車両の走行管理システムを提供することを目的とする。
【課題を解決するための手段】
【００１８】
前述したような従来技術における課題に鑑み、及び上記目的を達成するために発明されたものであって、本発明の少なくとも一つの実施形態は、無人自動運転システムにより、一定経路を自動走行している車両の走行管理システムであって、前記自動走行している車両に備えられ、車両の走行情報を送信する走行情報通信装置と、前記車両の走行情報通信装置からの車両の走行情報を受信して、前記車両の走行状態を管理する管理サーバと、前記自動走行している車両の乗車希望者が所持するとともに、前記管理サーバとの間の無線通信により、前記管理サーバに記憶された自動走行している車両の走行情報にアクセスできるように構成した携帯情報端末とを備えることを特徴とする。
【００１９】
このように構成することによって、自動走行している車両に備えられた走行情報通信装置により、管理サーバに、車両の走行情報を送信するように構成されている。
【００２０】
従って、例えば、現在地点、目的地地名、目的地への到着時間、走行経路、所定の場所を通過する予測時間などの車両の走行状態を、管理者が、管理サーバ側で管理することができる。
【００２１】
また、自動走行している車両の乗車希望者が所持する携帯情報端末により、管理サーバの記憶部に記憶された自動走行している車両の走行情報にアクセスできる。
【００２２】
これにより、例えば、現在の自動走行している車両の位置、到達時間、経路、燃費、車種などの車両の形式などの情報を、乗車希望者が把握でき、使用できる自動走行している車両を選択して、乗り込むことができる。
【００２３】
また、幾つかの実施形態では、前記車両が、乗車希望者が所持する携帯情報端末と連動して、乗車希望者の所在位置で停止するように構成されていることを特徴とする。
【００２４】
このように構成することによって、車両が、乗車希望者が所持する携帯情報端末と連動して、車両を乗車希望者の所在位置で停止するので、乗車希望者が選択した自動走行している車両に、容易に乗り込むことができる。
【００２５】
また、幾つかの実施形態では、前記車両の走行情報が、走行ルート情報であることを特徴とする。
このように構成することによって、乗車希望者は走行ルート情報を入手することができ、便利である。
【００２６】
また、幾つかの実施形態では、前記走行ルート情報が、現在地点、目的地地名、目的地への到着時間、走行経路、所定の場所を通過する予測時間のうち、少なくとも１つの走行ルート情報であることを特徴とする。
【００２７】
このように構成することによって、管理者および乗車希望者がこのような走行ルート情報を把握することができ、管理者側は、このような走行ルート情報を配車手配の参考とすることができる。
【００２８】
一方、乗車希望者側は、このような走行ルート情報に基づいて、例えば、乗車希望者の近くにいる自動走行している車両を把握、選択することができ、乗り込み場所まで移動できるなど極めて便利である。
【００２９】
また、幾つかの実施形態では、前記車両の走行情報が、車両の走行データであることを特徴とする。
このように構成することによって、乗車希望者は車両の走行データを入手することができ、車両の走行データを参考に車両を選べるので便利である。
【００３０】
また、幾つかの実施形態では、前記車両の走行データが、車両のエネルギー残量、平均燃費、車両の形式データのうち、少なくとも１つの走行データであることを特徴とする。
【００３１】
このように構成することによって、管理者および乗車希望者がこのような走行データを把握することができ、管理者側は、このような走行データを配車手配の参考とすることができる。
【００３２】
一方、乗車希望者側は、このような走行データに基づいて、例えば、車両のエネルギー残量が多く、平均燃費が良好な自動走行している車両を把握、選択することができ、特に、ＥＶなどの電気自動車では、電気スタンドに立ち寄るなどの必要がなく、極めて便利である。
【００３３】
また、幾つかの実施形態では、前記車両の走行情報通信装置が、管理サーバからの指示情報を受信できるように構成されていることを特徴とする。
【００３４】
このように構成することによって、管理者側は、自動走行している車両の、例えば、目的地、走行経路などを変更することができ、エリア変更などが可能であるとともに、配車システムとしても利用することができる。
【００３５】
また、幾つかの実施形態では、前記車両の走行情報通信装置が、乗車希望者が所持する携帯情報端末からの指示情報を受信できるように構成されていることを特徴とする。
【００３６】
このように構成することによって、乗車希望者が、自動走行している車両と直接個別に通信することによって、乗車希望者の選択した、例えば、近くの車両を、乗車希望者の所在位置まで、呼び出すことができ、極めて便利である。
【発明の効果】
【００３７】
本発明の一実施形態によれば、無人自動運転システムにより、一定経路を自動走行している車両に、乗車希望者が乗り込むことができる。
【００３８】
すなわち、自動走行している車両に備えられた走行情報通信装置により、管理サーバに、車両の走行情報を送信するように構成されているので、例えば、現在地点、目的地地名、目的地への到着時間、走行経路、所定の場所を通過する予測時間などの車両の走行状態を、管理者が、管理サーバ側で管理することができる。
【００３９】
また、自動走行している車両の乗車希望者が所持する携帯情報端末により、管理サーバの記憶部に記憶された自動走行している車両の走行情報にアクセスできるので、例えば、現在の自動走行している車両の位置、到達時間、経路、燃費、車種などの車両の形式などの情報を、乗車希望者が把握でき、使用できる自動走行している車両を選択して、乗り込むことができる。
【図面の簡単な説明】
【００４０】
【図１】本発明の実施形態１に係る車両の走行管理システムの概略を示す構成ブロック図である。
【図２】実施形態１の車両の走行管理システムの管理サーバ及び乗車希望者が所持する携帯情報端末のメイン操作画面の概略図である。
【図３】実施形態１の車両の走行管理システムの管理サーバ及び乗車希望者が所持する携帯情報端末のメイン操作画面の概略図である。
【図４】実施形態１の車両の走行管理システムの管理サーバ及び乗車希望者が所持する携帯情報端末のメイン操作画面の概略図である。
【図５】実施形態１の車両の走行管理システムの管理サーバ及び乗車希望者が所持する携帯情報端末のメイン操作画面の概略図である。
【図６】本発明の実施形態２に係る車両の走行管理システムの概略を示す構成ブロック図である。
【発明を実施するための形態】
【００４１】
以下、本発明の実施形態を図面に基づいてより詳細に説明する。
【００４２】
ただし、実施形態として記載されている又は図面に示されている構成部品の寸法、材質、形状、その相対的配置等は、本発明の範囲をこれらに限定する趣旨ではなく、単なる説明例にすぎない。
【００４３】
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。一方、一の構成要素を「備える」、「具える」、「具備する」、「含む」、又は、「有する」という表現は、他の構成要素の存在を除外する排他的な表現ではない。
【００４４】
（実施形態１）
図１は、本発明の車両の走行管理システムの概略を示す構成ブロック図、図２〜図５は、本発明の車両の走行管理システムの管理サーバ、乗車希望者が所持する携帯情報端末のメイン操作画面の概略図である。
図１において、符号１０は、全体で本発明の車両の走行管理システムを示している。
【００４５】
本発明の車両の走行管理システム１０は、例えば、タクシー、乗り合いバス、レンタカーなど無人自動運転システムにより、一定経路（例えば、車両毎に予め設定された循環経路）を自動走行している車両の走行管理システムである。
【００４６】
図１に示したように、本発明の車両の走行管理システム１０は、自動走行している少なくとも１台の車両１２を備えている。
【００４７】
なお、説明の便宜上、図１〜図５では、号車番号「０１号車」〜「０３号車」の３台の車両１２（車両１２Ａ〜１２Ｃ）を有する場合について説明する。
【００４８】
図１に示したように、それぞれの車両１２には、車両１２に搭載され、車両１２の自動運転を制御するためのエンジンコントロールユニット（ＥＣＵ）から構成される自動運転制御装置１４を備えている。
【００４９】
また、自動運転制御装置１４は、エンジンである動力部、ブレーキ、および、ステアリングなどから構成される制御ユニット１６に接続され、これらを制御するように構成されている。
【００５０】
さらに、自動運転制御装置１４は、車両１２の自動運転を制御するためのカーナビゲーションシステム１８に接続されるとともに、車間距離センサなどの各種のセンサ２０に接続されている。
【００５１】
また、図１に示したように、それぞれの車両１２には、走行情報通信装置２２が備えられている。
【００５２】
走行情報通信装置２２は、自動運転制御装置１４の記憶部に記憶された車両の走行情報を、後述するように、管理サーバ２８、乗車希望者が所持する携帯情報端末３０に送信する送信部２４を備えている。
【００５３】
また、走行情報通信装置２２は、管理サーバ２８、乗車希望者が所持する携帯情報端末３０から、それぞれの指示情報を受信する受信部２６を備えている。
【００５４】
また、図１に示したように、本発明の車両の走行管理システム１０は、管理サーバ２８を備えており、車両１２の走行情報通信装置２２の送信部２４から送られてくる車両１２の走行情報を受信して、車両１２の走行状態を管理するように構成されている。
【００５５】
このように構成することによって、管理者側は、自動走行している車両１２の、例えば、目的地、走行経路などを変更することができ、エリア変更などが可能であるとともに、配車システムとしても利用することができる。
【００５６】
また、図１に示したように、本発明の車両の走行管理システム１０は、乗車希望者が所持する、例えば、タブレット型パソコン、スマートホンなどの携帯情報端末３０を備えている。
【００５７】
この携帯情報端末３０により、管理サーバ２８との間の無線通信により、管理サーバ２８に記憶された自動走行している車両１２の走行情報にアクセスができるように構成されている。
【００５８】
このように構成することによって、自動走行している車両１２に備えられた走行情報通信装置２２の送信部２４により、管理サーバ２８に、車両１２の走行情報を送信するように構成されている。
【００５９】
従って、例えば、現在地点、目的地地名、目的地への到着時間、走行経路、所定の場所を通過する予測時間などの車両の走行状態を、管理者が、管理サーバ２８の側で管理することができる。
【００６０】
また、自動走行している車両１２の乗車希望者が所持する携帯情報端末３０により、管理サーバ２８の記憶部に記憶された自動走行している車両１２の走行情報にアクセスできる。
【００６１】
これにより、例えば、現在の自動走行している車両の位置、到達時間、経路、燃費、車種などの車両の形式などの情報を、乗車希望者が把握でき、使用できる自動走行している車両１２を選択して、乗り込むことができる。
【００６２】
また、車両１２が、乗車希望者が所持する携帯情報端末３０と連動して、乗車希望者の所在位置で、車両を停止するように構成されているのが望ましい。
【００６３】
このような停止システムとしては、何ら限定されるものではないが、例えば、乗車希望者が所持する携帯情報端末３０とドアロック装置との連動により、車両１２を乗車希望者の所在位置の所定位置で、車両を停止するように構成されている停止システムを採用することができる。
すなわち、携帯情報端末３０が遠隔操作によるドアロック解除機能を有して場合に、車両１２が近づいてきた車両に乗り込むために、ドアロック解除信号を出力することによって車両が停止するように構成されている。
【００６４】
このように構成することによって、車両１２が、乗車希望者が所持する携帯情報端末３０と連動して、車両１２を乗車希望者の所在位置で停止するので、乗車希望者が選択した自動走行している車両１２に、容易に乗り込むことができる。
【００６５】
また、車両の走行情報としては、何ら限定されるものではないが、走行ルート情報、例えば、現在地点、目的地地名、目的地への到着時間、走行経路、所定の場所を通過する予測時間のうち、少なくとも１つの走行ルート情報であるのが望ましい。
【００６６】
このように構成することによって、管理者および乗車希望者がこのような走行ルート情報を把握することができ、管理者側は、このような走行ルート情報を配車手配の参考とすることができる。
【００６７】
一方、乗車希望者側は、このような走行ルート情報に基づいて、例えば、乗車希望者の近くにいる自動走行している車両１２を把握、選択することができ、乗り込み場所まで移動できるなど極めて便利である。
【００６８】
さらに、車両の走行情報としては、何ら限定されるものではないが、車両の走行データ、例えば、車両１２のエネルギー残量、車両１２の平均燃費、車両１２の形式データのうち、少なくとも１つの走行データであるのが望ましい。
【００６９】
このように構成することによって、管理者および乗車希望者がこのような走行データを把握することができ、管理者側は、このような走行データを配車手配の参考とすることができる。
【００７０】
なお、この場合、車両１２の形式データとしては、特に限定されるものではないが、例えば、車両１２の色、車両の形、車両１２の車種、車両の乗車定員などのデータとすることができる。
【００７１】
一方、乗車希望者側は、このような走行データに基づいて、例えば、車両のエネルギー残量が多く、平均燃費が良好な自動走行している車両１２を把握、選択することができ、特に、ＥＶなどの電気自動車では、電気スタンドに立ち寄るなどの必要がなく、極めて便利である。
【００７２】
また、図１に示したように、車両１２の走行情報通信装置２２の受信部２６が、管理サーバ２８からの指示情報を受信できるように構成されているのが望ましい。
【００７３】
このように構成することによって、管理者側は、自動走行している車両１２の、例えば、目的地、走行経路などを変更することができ、エリア変更などが可能であるとともに、配車システムとしても利用することができる。
【００７４】
また、図１に示したように、車両１２の走行情報通信装置２２の受信部２６が、乗車希望者が所持する携帯情報端末３０からの指示情報を受信できるように構成されているのが望ましい。
【００７５】
このように構成することによって、乗車希望者が、自動走行している車両１２と直接個別に通信することによって、乗車希望者の選択した、例えば、近くの車両１２を、乗車希望者の所在位置まで、呼び出すことができ、極めて便利である。
【００７６】
このように構成される本発明の車両の走行管理システム１０について、以下に、本発明の車両の走行管理システム１０の管理サーバ２８のメイン操作画面２９、乗車希望者が所持する携帯情報端末３０のメイン操作画面３２の概略図（図２〜図５）に基づいて、より詳細に説明する。
【００７７】
以下については、管理サーバ２８のメイン操作画面２９と携帯情報端末３０のメイン操作画面３２とは同じ画面内容であるため、説明の便宜上、乗車希望者が所持する携帯情報端末３０のメイン操作画面３２について説明する。
【００７８】
図２に示したように、この実施形態の車両の走行管理システム１０では、メイン操作画面３２に、例えば、カーナビゲーションシステム１８の地図と連動したＧＰＳ地図が表示されている。
【００７９】
この地図上の道路上を、例えば、タクシー、乗り合いバス、レンタカーなどが、無人自動運転システムにより、一定経路（例えば、車両毎（号車番号「０１号車」〜「０３号車」の車両１２Ａ〜１２Ｃ毎）に予め設定された循環経路）を自動走行している状態が示されている。
【００８０】
また、乗車希望者Ａが所在する位置が、メイン操作画面３２に表示されている。
また、それぞれの車両には、車両名表示枠３６に号車番号「０１号車」〜「０３号車」が表されるようになっている。
【００８１】
なお、この状態において、別の台目の車両１２Ｄ「０４号車」は、別の乗車希望者が、既に選択しており、グレーアウト（選択不可の状態）となっている。
また、車両名表示枠３６に、「先約あり」の表示がされるようになっている。
この場合、既に選択されている「０４号車」の車両１２Ｄを選択できないように、メイン操作画面３２上に表示しないようにすることも可能である。
【００８２】
図３に示したように、乗車希望者Ａは、選択したい車両１２を選択する。この場合、図３の実施形態では、乗車希望者Ａは、車両１２Ａを選択した状態が示されている。
【００８３】
この選択により、図３に示したように、選択指示枠３４が表示（ポップアップ）され、この選択指示枠に表示された選択画面において、図示しないが、目的地などの情報を入力することができるようになっている。
【００８４】
図３に示したように、選択した車両１２Ａの走行ルート情報として、走行経路が示されるとともに、所定の場所を通過する予測時刻が表示されるとともに、乗車希望者Ａの目的地Ｂの到着予想時刻が、別途表示されるようになっている。
【００８５】
この状態で、乗車希望者Ａは、選択した車両１２Ａの走行ルート情報から、例えば、図３のＣ地点まで歩いていき、選択した車両１２Ａに乗り込むことができるようになっている。
【００８６】
なお、図４に示したように、メイン操作画面３２に、全ての車両１２Ａ〜１２Ｃの走行ルート情報として、走行経路が示されるとともに、所定の場所を通過する予測時刻が表示されるように構成しても良い。これにより、乗車希望者Ａは、自分が行きたい行き先の走行経路を走行している車両１２を選択することができるとともに、乗車希望者Ａに最も近い車両１２を選択することができ、より便利である。
【００８７】
また、図５に示したように、選択車両情報指示枠３８が表示（ポップアップ）され、この選択指示枠３４に、車両の走行情報として、例えば、号車番号「０１号車」の詳細情報として、車両１２Ａの「色：白」、「形：１ＢＯＸ」、「７人乗り」、「燃料５０％」、「ＡＶＧ１３ｋｍ／Ｌ」などの情報が表示されるようになっている。
【００８８】
これにより、管理者および乗車希望者がこのような走行データを把握することができ、管理者側は、このような走行データを配車手配の参考とすることができる。
なお、この場合、車両１２の形式データとしては、特に限定されるものではない。
【００８９】
一方、乗車希望者側は、このような走行データに基づいて、例えば、車両のエネルギー残量が多く、平均燃費が良好な自動走行している車両１２を把握、選択することができ、特に、ＥＶなどの電気自動車では、電気スタンドに立ち寄るなどの必要がなく、極めて便利である。
【００９０】
（実施形態２）
図６は、本発明の実施形態２の車両の走行管理システムの概略を示す構成ブロック図である。
【００９１】
この実施形態の車両の走行管理システム１１は、図１〜図５に示した実施形態１の走行管理システム１０と基本的には同様な構成であり、同一の構成部材には、同一の参照番号を付して、その詳細な説明を省略する。
なお、図６では、説明の便宜上、車両１２Ａのみ示している。
【００９２】
この実施形態の車両の走行管理システム１０では、走行情報通信装置２２が、カーナビゲーションシステム１８に組み込まれた状態である。
【００９３】
このように、走行情報通信装置２２を、カーナビゲーションシステム１８に組み込むようにすれば、車両１２のシステム自体をコンパクト化することができ、手間とコストを低減することができる。
【００９４】
以上、本発明の好ましい実施態様を説明してきたが、本発明はこれに限定されることはなく、例えば、上記実施形態では、車両１２として、タクシー、乗り合いバス、レンタカーなどに適用したが、トラック、フォークリフトなどの商用車、テーマパークなどのエリアを巡回しているその他の乗り物など、その他の車両一般に適用できる。
【００９５】
また、上記実施形態では、例えば、タブレット型パソコン、スマートホンなどの携帯情報端末３０について説明したが、その他の専用の情報端末とすることも可能であるなど本発明の目的を逸脱しない範囲で種々の変更が可能である。
【産業上の利用可能性】
【００９６】
本開示の一実施形態によれば、無人自動運転システムにより、一定経路を自動走行している車両に、乗車希望者が乗り込むことができるので、すなわち、例えば、現在の自動走行している車両の位置、到達時間、経路、燃費、車種などの車両の形式などの情報を、乗車希望者が把握でき、使用できる自動走行している車両を選択して、乗り込むことができるので、タクシー、乗り合いバス、レンタカーなど無人自動運転システムへの適用に適している。
【符号の説明】
【００９７】
１０、１１  走行管理システム
１２  車両
１２Ａ−１２Ｄ  車両
１４  自動運転制御装置
１６  制御ユニット
１８  カーナビゲーションシステム
２０  センサ
２２  走行情報通信装置
２４  送信部
２６  受信部
２８  管理サーバ
３０  携帯情報端末
２９、３２  メイン操作画面
３４  選択指示枠
３６  車両名表示枠
３８  選択車両情報指示枠
Ａ  乗車希望者
Ｂ  目的地
【図１】
2018112930.tif 000003
【図２】
2018112930.tif 000004
【図３】
2018112930.tif 000005
【図４】
2018112930.tif 000006
【図５】
2018112930.tif 000007
【図６】
2018112930.tif 000008